(57)【要約】【課題】使い勝手のよい放送受信装置を提供する。【解決手段】放送受信装置１は、TV放送の映像データに基づいて主たる画像データとしての主画像データを生成する主画像データ生成部５（主画像データ生成手段）と、主画像データに対して副たる画像データとしての副画像データを生成する副画像データ生成部６（副画像データ生成手段）と、主画像データの輝度値としての主輝度値を設定するための情報としての主輝度値情報と、副画像データの輝度値としての副輝度値を設定するための情報としての副輝度値情報と、を記憶する輝度値情報記憶部７（輝度値情報記憶手段）と、主輝度値情報と副輝度値情報に基づいて、主画像データと副画像データを合成して合成画像データを生成する合成画像データ生成部８（合成画像データ生成手段）と、合成画像データを表示画面１０に表示させる表示制御部９（表示制御手段）と、を備える。【選択図】図４
2015111755.tif 000002
【特許請求の範囲】
【請求項１】
TV放送の映像データに基づいて主たる画像データとしての主画像データを生成する主画像データ生成手段と、
前記主画像データに対して副たる画像データとしての副画像データを生成する副画像データ生成手段と、
前記主画像データの輝度値としての主輝度値を設定するための情報としての主輝度値情報と、前記副画像データの輝度値としての副輝度値を設定するための情報としての副輝度値情報と、を記憶する輝度値情報記憶手段と、
前記主輝度値情報と前記副輝度値情報に基づいて、前記主画像データと前記副画像データを合成して合成画像データを生成する合成画像データ生成手段と、
前記合成画像データを表示画面に表示させる表示制御手段と、
を備えた、
放送受信装置。
【請求項２】
請求項１に記載の放送受信装置であって、
前記TV放送の前記映像データの内容に応じて、前記副輝度値情報を変更する輝度値情報変更手段を更に備えた、
放送受信装置。
【請求項３】
請求項２に記載の放送受信装置であって、
前記輝度値情報変更手段は、
前記TV放送の前記映像データが番組本編からコマーシャルに切り替わったら、前記副輝度値情報を変更させる、
放送受信装置。
【請求項４】
請求項３に記載の放送受信装置であって、
前記輝度値情報変更手段は、
前記TV放送の前記映像データが番組本編からコマーシャルに切り替わったら、前記副輝度値情報を上げる、
放送受信装置。
【請求項５】
請求項１に記載の放送受信装置であって、
一定時間経過したら、前記副輝度値情報を変更する輝度値情報変更手段を更に備えた、
放送受信装置。
【請求項６】
請求項５に記載の放送受信装置であって、
前記輝度値情報変更手段は、一定時間経過したら、前記副輝度値情報を下げる、
放送受信装置。
【請求項７】
請求項１に記載の放送受信装置であって、
ユーザーが操作可能な操作手段と、
前記ユーザーが前記操作手段を最後に操作してから一定時間経過したら、前記副輝度値情報を変更する輝度値情報変更手段と、
を更に備えた、
放送受信装置。
【請求項８】
請求項７に記載の放送受信装置であって、
前記輝度値情報変更手段は、前記ユーザーが前記操作手段を最後に操作してから一定時間経過したら、前記副輝度値情報を下げる、
放送受信装置。
【請求項９】
請求項１に記載の放送受信装置であって、
ユーザーが操作可能な操作手段と、
前記ユーザーが前記操作手段を操作したら前記副輝度値情報を変更する輝度値情報変更手段と、
を更に備えた、
放送受信装置。
【請求項１０】
請求項９に記載の放送受信装置であって、
前記輝度値情報変更手段は、前記ユーザーが前記操作手段を操作したら前記副輝度値情報を上げる、
放送受信装置。
【発明の詳細な説明】
【技術分野】
【０００１】
本発明は、放送受信装置に関する。
【背景技術】
【０００２】
この種の技術として、特許文献１は、TV放送の画像とデータ放送の画像を合成して画像表示装置に送出する受信装置を開示している。
【先行技術文献】
【特許文献】
【０００３】
【特許文献１】特開２００３−８７６７９号公報
【発明の概要】
【発明が解決しようとする課題】
【０００４】
上記特許文献１の受信装置は、TV放送の画像とデータ放送の画像を同じように表示させているので使いづらい側面がある。
【０００５】
本発明の目的は、使い勝手のよい放送受信装置を提供することにある。
【課題を解決するための手段】
【０００６】
TV放送の映像データに基づいて主たる画像データとしての主画像データを生成する主画像データ生成手段と、前記主画像データに対して副たる画像データとしての副画像データを生成する副画像データ生成手段と、前記主画像データの輝度値としての主輝度値を設定するための情報としての主輝度値情報と、前記副画像データの輝度値としての副輝度値を設定するための情報としての副輝度値情報と、を記憶する輝度値情報記憶手段と、前記主輝度値情報と前記副輝度値情報に基づいて、前記主画像データと前記副画像データを合成して合成画像データを生成する合成画像データ生成手段と、前記合成画像データを表示画面に表示させる表示制御手段と、を備えた、放送受信装置が提供される。
前記放送受信装置は、前記TV放送の前記映像データの内容に応じて、前記副輝度値情報を変更する輝度値情報変更手段を更に備えた。
前記輝度値情報変更手段は、前記TV放送の前記映像データが番組本編からコマーシャルに切り替わったら、前記副輝度値情報を変更させる。
前記輝度値情報変更手段は、前記TV放送の前記映像データが番組本編からコマーシャルに切り替わったら、前記副輝度値情報を上げる。
前記放送受信装置は、一定時間経過したら、前記副輝度値情報を変更する輝度値情報変更手段を更に備えた。
前記輝度値情報変更手段は、一定時間経過したら、前記副輝度値情報を下げる。
前記放送受信装置は、ユーザーが操作可能な操作手段と、前記ユーザーが前記操作手段を最後に操作してから一定時間経過したら、前記副輝度値情報を変更する輝度値情報変更手段と、を更に備えた。
前記輝度値情報変更手段は、前記ユーザーが前記操作手段を最後に操作してから一定時間経過したら、前記副輝度値情報を下げる。
前記放送受信装置は、ユーザーが操作可能な操作手段と、前記ユーザーが前記操作手段を操作したら前記副輝度値情報を変更する輝度値情報変更手段と、を更に備えた。
前記輝度値情報変更手段は、前記ユーザーが前記操作手段を操作したら前記副輝度値情報を上げる。
【発明の効果】
【０００７】
本発明によれば、前記主輝度値と前記副輝度値を個別に管理できるので、使い勝手のよい放送受信装置が実現される。
【図面の簡単な説明】
【０００８】
【図１】放送受信装置の機能ブロック図である。
【図２】表示画面の表示例である。
【図３】輝度値情報変更部の制御フローである。
【図４】輝度値の時間変化を説明するためのグラフである。
【図５】第１変形例であって、輝度値の時間変化を説明するためのグラフである。
【図６】第２変形例であって、輝度値の時間変化を説明するためのグラフである。
【発明を実施するための形態】
【０００９】
放送受信装置１は、受信部２と、動作制御部３と、放送信号受信部４と、主画像データ生成部５（主画像データ生成手段）と、副画像データ生成部６（副画像データ生成手段）と、輝度値情報記憶部７（輝度値情報記憶手段）、合成画像データ生成部８（合成画像データ生成手段）、表示制御部９（表示制御手段）、表示画面１０、輝度値情報変更部１１（輝度値情報変更手段）と、リモコン１２（操作手段）を有する。
【００１０】
受信部２は、ユーザーが操作するリモコン１２から出力された制御信号を受信する部分である。
【００１１】
動作制御部３は、受信部２が受信した制御信号に基づいて、放送受信装置１の動作を制御する部分である。
【００１２】
放送信号受信部４は、電波塔などから発信された放送信号を受信する部分である。放送信号の種別としては、例えば、地上デジタル放送やBSデジタル放送が挙げられる。
【００１３】
主画像データ生成部５は、放送信号受信部４が受信した放送信号からTV放送の映像データを抽出し、抽出した映像データに基づいて、主たる画像データとしての主画像データを生成する部分である。
【００１４】
副画像データ生成部６は、放送信号受信部４が受信した放送信号からデータ放送のテキストファイルを抽出し、抽出したテキストファイルに基づいて、副たる画像データとしての副画像データを生成する部分である。なお、一般に、テキストファイルは、XML(Extensible Markup Language)ベースの記述言語であるBML(Broadcast Markup Language)で記述される。
【００１５】
輝度値情報記憶部７は、主画像データの輝度値としての主輝度値を設定するための情報としての主輝度値情報と、副画像データの輝度値としての副輝度値を設定するための情報としての副輝度値情報と、を記憶する部分である。
【００１６】
合成画像データ生成部８は、輝度値情報記憶部７に記憶されている主輝度値情報及び副輝度値情報に基づいて、主画像データと副画像データを合成して合成画像データを生成する部分である。即ち、合成画像データ生成部８は、主輝度値情報に基づいて主画像データの輝度値を決定し、副輝度値情報に基づいて副画像データの輝度値を決定した上で、主画像データと副画像データを合成して合成画像データを生成する。
【００１７】
表示制御部９は、合成画像データ生成部８が生成した合成画像データを表示画面１０に表示させる部分である。図２には、表示画面１０の一例を示している。図２の例では、符号Mで示すように主画像データが表示画面１０の右上に、符号Sで示すように副画像データがL字状に、夫々表示されている。なお、本実施形態では、副画像データがデータ放送に関連するものであるとしたが、これに代えて、アプリケーションを起動するためのアイコンや、ビデオオンデマンドに対応したアイコン、インターネット経由で取得した各種情報などに関連するものであってもよい。
【００１８】
輝度値情報変更部１１は、所定の条件が揃ったら主輝度値情報及び副輝度値情報を変更する部分である。輝度値情報変更部１１は、計時用のカウンタ１１ａを有する。
【００１９】
次に、図３及び図４を参照して、輝度値情報変更部１１の動作を説明する。
【００２０】
先ず、放送受信装置１の電源を投入すると(S100)、輝度値情報変更部１１は、主輝度値情報を７０にセットする(S110)。次に、輝度値情報変更部１１は、副輝度値情報を７０にセットする(S120)。次に、輝度値情報変更部１１は、カウンタ１１ａによる計時を開始させる(S130)。次に、輝度値情報変更部１１は、受信部２の動作を監視することで、ユーザーによるリモコンの操作があったか判定する(S140)。ユーザーによるリモコンの操作がなかったと判定した場合は(S140:NO)、輝度値情報変更部１１は、カウンタ１１ａが一定時間を計時したか判定する(S150)。カウンタ１１ａが一定時間を計時していないと判定したら(S150:NO)、輝度値情報変更部１１は、処理をS140に戻す。S140で、ユーザーによるリモコンの操作があったと判定した場合は(S140:YES)、輝度値情報変更部１１は、カウンタ１１ａによる計時をリセットし(S160)、処理をS140に戻す。S150で、カウンタ１１ａが一定時間を計時したと判定したら(S150:YES)、輝度値情報変更部１１は、カウンタ１１ａによる計時を終了させ(S170)、副輝度値を４０にセットする(S180)。以上、S100〜S180の動作によれば、図４に示すように、放送受信装置１の電源を投入後（時刻ｔ０）、一定時間が経過すると副画像データが暗く表示されるようになり（時刻ｔ１）、この結果、ユーザーは、TV放送に集中できるようになる（時刻ｔ１以降）。また、放送受信装置１の電源を投入してから一定時間が経過する前にユーザーがリモコンを操作すると、放送受信装置１の電源を投入してから経過した時間の長さに拘わらず、ユーザーがリモコンを最後に操作してから一定時間が経過した時点で初めて副画像データが暗く表示されるようになる。
【００２１】
図３に戻り、S180で、副輝度値を４０にセットしたら(S180)、輝度値情報変更部１１は、ユーザーによるリモコンの操作があったか判定する(S190)。ユーザーによるリモコンの操作があったと判定した場合は(S190:YES)、輝度値情報変更部１１は、処理をS120に戻す。以上、S190の動作によれば、図４に示すように、ユーザーがリモコンを操作すると（時刻ｔ２）、ユーザーがリモコンを最後に操作してから一定時間が経過するまで副画像データが明るく表示されるようになる（時刻ｔ２〜ｔ３）。
【００２２】
S190で、ユーザーによるリモコンの操作がなかったと判定した場合は(S190:NO)、輝度値情報変更部１１は、TV放送がコマーシャル中か判定する(S200)。TV放送がコマーシャル中でないと判定した場合は(S200:NO)、輝度値情報変更部１１は、処理をS190に戻す。一方、TV放送がコマーシャル中であると判定した場合は(S200:YES)、輝度値情報変更部１１は、副輝度値情報を７０にセットする(S210)。次に、輝度値情報変更部１１は、TV放送がコマーシャル中か判定する(S220)。TV放送がコマーシャル中であると判定した場合は(S220:YES)、輝度値情報変更部１１は、S220の処理を繰り返す。一方、TV放送がコマーシャル中でないと判定した場合は(S220:NO)、輝度値情報変更部１１は、副輝度値情報を４０にセットし(S230)、処理をS190に戻す。以上、S200〜S230の動作によれば、図４に示すように、コマーシャル中は副画像データが明るく表示されるようになる。即ち、番組本編中はTV放送に集中しつつ、コマーシャル中はデータ放送も問題なくチェックできるようになる。
【００２３】
以上に、本願発明の好適な実施形態を説明したが、上記実施形態は、以下の特長を有する。
【００２４】
（１）放送受信装置１は、TV放送の映像データに基づいて主たる画像データとしての主画像データを生成する主画像データ生成部５（主画像データ生成手段）と、主画像データに対して副たる画像データとしての副画像データを生成する副画像データ生成部６（副画像データ生成手段）と、主画像データの輝度値としての主輝度値を設定するための情報としての主輝度値情報と、副画像データの輝度値としての副輝度値を設定するための情報としての副輝度値情報と、を記憶する輝度値情報記憶部７（輝度値情報記憶手段）と、主輝度値情報と副輝度値情報に基づいて、主画像データと副画像データを合成して合成画像データを生成する合成画像データ生成部８（合成画像データ生成手段）と、合成画像データを表示画面１０に表示させる表示制御部９（表示制御手段）と、を備える。以上の構成によれば、主輝度値と副輝度値を個別に管理できるので、使い勝手のよい放送受信装置１が実現される。
【００２５】
（２）また、放送受信装置１は、TV放送の映像データの内容に応じて、副輝度値情報を変更する輝度値情報変更部１１（輝度値情報変更手段）を更に備える。以上の構成によれば、TV放送の映像データの内容に応じて、副画像データの明るさが変わるようになる。なお、TV放送の映像データの内容の種別としては、例えば、番組本編やコマーシャルなどが挙げられる。
【００２６】
（３）また、輝度値情報変更部１１は、TV放送の映像データが番組本編からコマーシャルに切り替わったら、副輝度値情報を変更させる。以上の構成によれば、TV放送の映像データが番組本編からコマーシャルに切り替わったら、副画像データの明るさが変わるようになる。
【００２７】
（４）また、輝度値情報変更部１１は、TV放送の映像データが番組本編からコマーシャルに切り替わったら、副輝度値情報を上げる。以上の構成によれば、TV放送の映像データが番組本編からコマーシャルに切り替わったら、副画像データが明るく表示されるようになる。
【００２８】
（５）また、放送受信装置１は、一定時間経過したら、副輝度値情報を変更する輝度値情報変更部１１を更に備える。以上の構成によれば、一定時間経過したら、副画像データの明るさが変わるようになる。
【００２９】
（６）また、輝度値情報変更部１１は、一定時間経過したら、前記副輝度値情報を下げる。以上の構成によれば、一定時間経過したら、副画像データが暗く表示されるようになり、主画像データに集中できるようになる。
【００３０】
（７）また、放送受信装置１は、ユーザーが操作可能なリモコン１２（操作手段）と、ユーザーがリモコン１２を最後に操作してから一定時間経過したら、副輝度値情報を変更する輝度値情報変更部１１と、を更に備える。以上の構成によれば、ユーザーがリモコン１２を最後に操作してから一定時間経過したら、副画像データの明るさが変わるようになる。
【００３１】
（８）また、輝度値情報変更部１１は、ユーザーがリモコン１２を最後に操作してから一定時間経過したら、副輝度値情報を下げる。以上の構成によれば、ユーザーがリモコン１２を最後に操作してから一定時間経過したら、副画像データが暗く表示されるようになり、主画像データに集中できるようになる。
【００３２】
（９）また、放送受信装置１は、ユーザーが操作可能なリモコン１２と、ユーザーがリモコン１２を操作したら副輝度値情報を変更する輝度値情報変更部１１と、を更に備える。以上の構成によれば、ユーザーがリモコン１２を操作したら副画像データの明るさが変わるようになる。
【００３３】
（１０）また、輝度値情報変更部１１は、ユーザーがリモコン１２を操作したら副輝度値情報を上げる。以上の構成によれば、ユーザーがリモコン１２を操作したら副画像データが明るく表示されるようになる。
【００３４】
上記の実施形態は、例えば、以下のように変更できる。
【００３５】
即ち、例えば図５に示すように、輝度値情報変更部１１は、副輝度値情報を変更するに際し、副輝度値情報をステップ状ではなく徐々に変化させるようにしてもよい。この場合、ユーザーにとって快適な視聴環境が実現される。
【００３６】
また、例えば図６に示すように、輝度値情報変更部１１は、副輝度値情報の変更に同期するように、主輝度値情報を変更するようにしてもよい。例えば、副画像データを目立たせたい場合は（時刻ｔ０〜ｔ１、時刻ｔ２〜ｔ３、時刻ｔ４〜ｔ５）、副輝度値情報を上げると共に、主輝度値情報を下げるようにする。逆に、副画像データを目立たせたくない場合は（時刻ｔ１〜ｔ２、時刻ｔ３〜ｔ４、時刻ｔ５以降）、副輝度値情報を下げると共に、主輝度値情報を上げるようにする。
【００３７】
また、リモコン１２に、副輝度値情報を上げることに特化した専用のボタンを設けてもよい。また、このボタンが押下された際は、再度このボタンが押されるまで副輝度値情報が高い値のまま維持されていてもよいし、一定時間経過したら元の低い値に戻るようにしてもよい。
【符号の説明】
【００３８】
１  放送受信装置
２  リモコン受光部
３  動作制御部
４  放送信号受信部
５  主画像データ生成部
６  副画像データ生成部
７  輝度値情報記憶部
８  合成画像データ生成部
９  表示制御部
１０  表示画面
１１  輝度値情報変更部
１１ａ  カウンタ
１２  リモコン
【図１】
2015111755.tif 000003
【図２】
2015111755.tif 000004
【図３】
2015111755.tif 000005
【図４】
2015111755.tif 000006
【図５】
2015111755.tif 000007
【図６】
2015111755.tif 000008